(57)【要約】【課題】定着桁上にケーブル導入装置を設置して定着桁へケーブルを定着する場合において、定着桁の上面で定着を行うことができるケーブルの定着具を得ること。また、該ケーブル定着具を用いたケーブル定着方法を得ること【解決手段】定着桁３上に設置されたケーブル導入装置によって先端部にケーブルソケット１１を有する吊りケーブル５を定着桁側に引き寄せて定着体３へ吊りケーブル５を定着する際に用いるケーブル定着具１であって、定着桁３の上方に突出して設けられて、ケーブルソケット１１が挿入可能でかつ内面にネジ部を有する筒状部材１３と、筒状部材１３のネジ部に螺合する外ネジを有すると共に径方向に分割された分割リング１５と、を備え、ケーブルソケット１１を筒状部材１３に挿入後に分割リング１５を筒状部材１３にネジ固定して分割リング１５によってケーブルソケット１１を保持するように構成されている。【選択図】  図１
2008184809.tif 000002
【特許請求の範囲】
【請求項１】
ケーブル導入装置によって先端部にケーブルソケットを有するケーブルを定着体側に引き寄せて該定着体へ前記ケーブルを定着する際に用いるケーブル定着具であって、
前記定着体の上方に突出して設けられて、前記ケーブルソケットが挿入可能でかつ内面にネジ部を有する筒状部材と、該筒状部材のネジ部に螺合する外ネジを有すると共に径方向に分割された分割リングと、を備え、前記ケーブルソケットを前記筒状部材に挿入後に前記分割リングを前記筒状部材にネジ固定して該分割リングによって前記ケーブルソケットを保持するように構成されていることを特徴とするケーブル定着具。
【請求項２】
ケーブル導入装置によって先端部にケーブルソケットを有するケーブルを定着体側に引き寄せて該定着体へ前記ケーブルを定着する際に用いるケーブル定着具であって、
前記定着体の上方に突出して設けられて、前記ケーブルソケットが挿入可能でかつ内面にネジ部を有する筒状部材と、該筒状部材よりも小径でかつ径方向に分割された第１分割リングと、該第１リングの後端部に球面接触すると共に前記筒状部材のネジ部に螺合する外ネジを有する径方向に分割された第２分割リングと、を備え、前記ケーブルソケットを前記筒状部材に挿入後に前記第１分割リングを前記ケーブルソケットの後端側に配置し、前記第２分割リングを前記筒状部材にネジ込んで前記第１分割リングの後方に設置して、該第１分割リングによって前記ケーブルソケットを保持するように構成されていることを特徴とするケーブル定着具。
【請求項３】
ケーブル導入装置によってケーブルを前記定着体側に引き寄せて該定着体へ前記ケーブルを定着する際に用いるケーブル定着具であって、前記定着体の上方に突出する筒状部材と、該筒状部材の上端部に一体または別体で設けられた縮径部と、前記筒状部材の側面に設けられた開口部から挿入されて前記縮径部に挿通されたケーブルソケットの後端部と前記縮径部との間に介装される分割座金と、を備えてなることを特徴とするケーブル定着具。
【請求項４】
請求項１に記載のケーブル定着具を用いて定着体にケーブルを定着するケーブル定着方法であって、
ケーブル導入装置によってケーブルソケットを定着部材側に押し込み、前記ケーブルソケットを筒状部に挿入する工程と、分割リングを前記筒状部にネジ固定する工程と、ケーブル導入装置による保持を開放してケーブルソケットを分割リングで保持させる工程と、を備えたことを特徴とするケーブル定着方法。
【請求項５】
請求項２に記載のケーブル定着具を用いて定着体にケーブルを定着するケーブル定着方法であって、
ケーブル導入装置によってケーブルソケットを定着部材側に押し込み、前記ケーブルソケットを筒状部に挿入する工程と、第１分割リングを前記ケーブルソケットの後端側に配置する工程と、第２分割リングを前記筒状部にねじ込んでネジ固定する工程と、ケーブル導入装置による保持を開放してケーブルソケットを前記第１分割リングで保持させる工程と、を備えたことを特徴とするケーブル定着方法。
【請求項６】
請求項３に記載のケーブル定着具を用いて定着体にケーブルを定着するケーブル定着方法であって、
ケーブル導入装置によってケーブルソケットを定着部材側に押し込み、前記ケーブルソケットを筒状部材内に挿入する工程と、分割座金を前記筒状部材の側面に設けられた開口部から筒状部材内に挿入して前記ケーブルソケットの後端部と前記縮径部との間に介装する工程と、ケーブル導入装置による保持を開放してケーブルソケットを前記分割座金で保持させる工程と、を備えたことを特徴とするケーブル定着方法。
【発明の詳細な説明】
【技術分野】
【０００１】
本発明は、ケーブルによって支持される構造物、例えば橋梁や鉄塔などにケーブルを定着する際に用いるケーブル定着具、および該ケーブル定着具を用いたケーブル定着方法に関する。
【背景技術】
【０００２】
鉄塔や橋梁においてはこれらを構成する主塔等の柱体と定着桁とを斜めに張設したケーブルで接続し、柱体の姿勢を安定させたり、あるいは橋桁を支持したりすることが行われている。
【０００３】
例えば、斜張橋は、水平に延びる主桁を、一定間隔毎に設置されたケーブルによって主塔で支持するように構成されている。このケーブルは、主塔の上部と主桁との間で斜めに張られ、一端が主塔の上部に定着され、他端が主桁に定着される。
【０００４】
かかる斜張橋においては、ケーブル端部を主桁に設けられたアンカーに導入させるケーブル引き込み方法、およびケーブル端部をアンカーに定着する定着方法が問題になる。
【０００５】
そして、ケーブル引き込み方法についての技術の流れは以下のようなものである。
以前は桁の内部にケーブル引込み装置を設置して行う方法が一般的であった。
しかし、この方法では桁内という狭い空間での作業になるため作業効率が非常に悪いという問題があった。
そこで、このような問題を解決するものとして、例えば、ケーブル端部を主桁のアンカーに導入する導入装置を、主桁の上フランジに配置し、ケーブルの端部を保持して、導入装置の下側に配されたアンカーへ導入させる装置が提案されている（特許文献１参照）。
【０００６】
この特許文献１のように、ケーブル引き込み方法に関する研究についてはすすんでいるが、その一方で、ケーブルを主桁に定着させる構造そのものについてはその開発がおよそ手つかずの状態であった。
【０００７】
図１２は、従来から一般的に使用されているケーブル定着構造を示す図であり、アンカー７１を利用してケーブル７３の端部を、フランジ７４およびウェブ７６からなるＨ形の主桁７５に定着させる作業状態を示している。
【０００８】
図１２に示されるように、この例におけるアンカー７１は、引き込みロッド７７が４本タイプのケーブル導入装置７９に対応するように形成されたものである。
アンカー７１には、主桁７５を構成するウェブ７６同士の間に配置され、その中央にケーブル７３を挿入させるための管状の挿入部８３が形成されている。また、その軸方向の下端側には外側方に張り出すフランジ部８５が設けられている。挿入部８３の周囲は板材８７に囲まれており、アンカー７１自体が大きなボックス状に形成されている。さらには、下端側に設けられたフランジ部８５は、挿入部８３から上下及び左右に向けてそれぞれ大きく張り出している。
そして、フランジ部８５の四隅にはケーブル導入装置７９の引き込みロッド７７の端部を取り付ける取付部８５ａが設けられている。
【０００９】
【特許文献１】特開平２−２４３８０８号公報
【発明の開示】
【発明が解決しようとする課題】
【００１０】
上記のように、ケーブルの導入方法についてはケーブル導入装置を主桁の上フランジに設置して行うことができるようになっていることから作業性が向上している。
他方、ケーブルの定着方法については、桁内で行うため、いまだに作業性の悪いものであった。
このような点は斜張橋におけるケーブル定着のみならず、他の分野においても同様に問題となっている。
【００１１】
本発明は係る課題を解決するためになされたものであり、ケーブル導入装置によってケーブルを定着体側に引き寄せて該定着体へケーブルを定着する場合において、定着体の上面で定着を行うことができるケーブルの定着具を得ることを目的としている。また、該ケーブル定着具を用いたケーブル定着方法を得ることを目的としている。
【課題を解決するための手段】
【００１２】
（１）本発明に係るケーブル定着具は、ケーブル導入装置によって先端部にケーブルソケットを有するケーブルを定着体側に引き寄せて該定着体へ前記ケーブルを定着する際に用いるケーブル定着具であって、前記定着体の上方に突出して設けられて、前記ケーブルソケットが挿入可能でかつ内面にネジ部を有する筒状部材と、該筒状部材のネジ部に螺合する外ネジを有すると共に径方向に分割された分割リングと、を備え、前記ケーブルソケットを前記筒状部材に挿入後に前記分割リングを前記筒状部材にネジ固定して該分割リングによって前記ケーブルソケットを保持するように構成されていることを特徴とするものである。
定着体とは、ケーブルを定着する構造物であって、例えば斜張橋における厚鋼板あるいは形鋼からなる主桁などである。
【００１３】
（２）また、ケーブル導入装置によって先端部にケーブルソケットを有するケーブルを定着体側に引き寄せて該定着体へ前記ケーブルを定着する際に用いるケーブル定着具であって、前記定着体の上方に突出して設けられて、前記ケーブルソケットが挿入可能でかつ内面にネジ部を有する筒状部材と、該筒状部材よりも小径でかつ径方向に分割された第１分割リングと、該第１リングの後端部に球面接触すると共に前記筒状部材のネジ部に螺合する外ネジを有する径方向に分割された第２分割リングと、を備え、前記ケーブルソケットを前記筒状部材に挿入後に前記第１分割リングを前記ケーブルソケットの後端側に配置し、前記第２分割リングを前記筒状部材にネジ込んで前記第１分割リングの後方に設置して、該第１分割リングによって前記ケーブルソケットを保持するように構成されていることを特徴とするものである。
【００１４】
第１リングと球面接触する径方向に分割された第２分割リングを備えたことにより、ケーブルを定着している状態において、ケーブルと筒状部材との芯ずれを吸収できる。また、ケーブルが振れた場合に、球面接触部がずれることでケーブルの振れに追従でき、偏荷重となるのを防止できる。
【００１５】
（３）また、ケーブル導入装置によってケーブルを前記定着体側に引き寄せて該定着体へ前記ケーブルを定着する際に用いるケーブル定着具であって、前記定着体の上方に突出する筒状部材と、該筒状部材の上端部に一体または別体で設けられた縮径部と、前記筒状部材の側面に設けられた開口部から挿入されて前記縮径部に挿通されたケーブルソケットの後端部と前記縮径部との間に介装される分割座金と、を備えてなることを特徴とするものである。
【００１６】
（４）本発明に係るケーブル定着方法は、上記（１）に記載のケーブル定着具を用いて定着体にケーブルを定着するケーブル定着方法であって、ケーブル導入装置によってケーブルソケットを定着部材側に押し込み、前記ケーブルソケットを筒状部に挿入する工程と、分割リングを前記筒状部にネジ固定する工程と、ケーブル導入装置による保持を開放してケーブルソケットを分割リングで保持させる工程と、を備えたことを特徴とするものである。
【００１７】
（５）また、上記（２）に記載のケーブル定着具を用いて定着体にケーブルを定着するケーブル定着方法であって、ケーブル導入装置によってケーブルソケットを定着部材側に押し込み、前記ケーブルソケットを筒状部に挿入する工程と、第１分割リングを前記ケーブルソケットの後端側に配置する工程と、第２分割リングを前記筒状部にねじ込んでネジ固定する工程と、ケーブル導入装置による保持を開放してケーブルソケットを前記第１分割リングで保持させる工程と、を備えたことを特徴とするものである。
【００１８】
（６）また、上記（３）に記載のケーブル定着具を用いて定着体にケーブルを定着するケーブル定着方法であって、ケーブル導入装置によってケーブルソケットを定着部材側に押し込み、前記ケーブルソケットを筒状部材内に挿入する工程と、分割座金を前記筒状部材の側面に設けられた開口部から筒状部材内に挿入して前記ケーブルソケットの後端部と前記縮径部との間に介装する工程と、ケーブル導入装置による保持を開放してケーブルソケットを前記分割座金で保持させる工程と、を備えたことを特徴とするものである。
【発明の効果】
【００１９】
本発明においては、定着体の上方に突出して設けられて、前記ケーブルソケットが挿入可能でかつ内面にネジ部を有する筒状部材と、該筒状部材のネジ部に螺合する外ネジを有すると共に径方向に分割された分割リングと、を備え、前記ケーブルソケットを前記筒状部に挿入後に前記分割リングを前記筒状部材にネジ固定して該分割リングによって前記ケーブルソケットを保持するように構成したので、定着体へのケーブル定着を定着体の上で行うことができ、作業性に優れる。また、例えば従来の斜張橋のように桁内で定着する場合に比べ、ケーブルの長さを短くでき、その分コストの低減ができる。さらに、ケーブルソケット自体は何らの加工することなく使用でき、全体に簡易な構造なのでコストを低減できる。
【発明を実施するための最良の形態】
【００２０】
［実施の形態１］
図１は本発明の一実施の形態に係るケーブル定着具１を分解した状態を示す斜視図、図２は図１に示したケーブル定着具１を組み立てた状態を示す図、図３は図２の軸方向の断面図である。以下、図１〜図３に基づいて本実施の形態に係るケーブル定着具１を説明する。
【００２１】
なお、以下においては、斜張橋における主塔（図示なし）と定着桁３との間に吊りケーブル５を張設する場合を例に挙げる。そして、以下の説明において前方とは吊りケーブル５の端部が定着される定着桁３側を言い、後方とはその反対側、すなわち吊りケーブル５の他方の端部が定着される主塔側をいう。
また、吊りケーブル５の前端とは、吊りケーブル５の端部のうち定着側の端部をいい、後端とは吊りケーブル５の端部のうち主塔側の端部をいう。
【００２２】
本実施の形態に係るケーブル定着具１は、定着桁３上に設置されたケーブル導入装置によって先端部にケーブルソケット１１を有する吊りケーブル５を定着桁３側に引き寄せて該定着桁３へ吊りケーブル５を定着する際に用いるものである。
具体的には、定着桁３の上方に突出して設けられて先端部に外ネジ部９を有する定着パイプ７と、定着パイプ７の外ネジ部９に螺合する内ネジを有する筒状部材１３と、筒状部材１３の内ネジに螺合する外ネジを有する径方向に分割された分割リング１５と、を備え、ケーブルソケット１１を筒状部材１３に挿入後に分割リング１５を筒状部材１３にネジ固定して分割リング１５によってケーブルソケット１１を保持するように構成されている。
以下、各構成を詳細に説明する。
【００２３】
＜定着桁＞
定着桁３は、斜張橋においては、厚鋼板あるいは形鋼からなるものである。定着桁３には定着パイプ７が設置され、定着パイプ７と定着桁３とは一体化されている。
【００２４】
＜定着パイプ＞
定着パイプ７は定着桁３の上フランジのフランジ面上に上端部を突出させ、本体部は定着桁３の内部において定着桁３のウェブに接合されて、定着桁３と一体化されている。
定着パイプ７の上端部の外周面に外ネジ部９が形成されている。
【００２５】
＜ケーブルソケット＞
ケーブルソケット１１は、吊りケーブル５の端部に取り付けられた外形が円柱状の部材である。
【００２６】
＜筒状部材＞
筒状部材１３は、定着パイプ７の外ネジ部９に螺合する内ネジを有しており、図２、図３に示すように、その軸方向の約半分が定着パイプ７の先端部にねじ込まれて固定される。
なお、本実施の形態においては、筒状部材１３を定着パイプ７とは別部品としているが、定着パイプ７の径を大きく設定して、定着パイプ７の先端部の内面に内ネジを設けるようにしてもよい。
【００２７】
＜分割リング＞
分割リング１５は、図１に示すように、径方向に２分割されており、外周部に外ネジが設けられている。分割リング１５は、図３に示すように、吊りケーブル５を中央に包み込んだ状態で筒状部材１３にネジ込まれている。分割リング１５はリング状に一体化した状態では、その内径がケーブルソケット１１の外径よりも小径でかつ、ケーブルソケット１１の後方のケーブル端部の外径よりも大径になるように設定されている。そのため、ケーブルソケット１１を定着パイプ７に挿入した状態で、図３に示すように、分割リング１５を設置すると、ケーブルソケット１１の後端部が分割リング１５の端部に当接して、吊りケーブル５を保持できる。
なお、分割リング１５の分割数は２分割に限定されるものではない。
【００２８】
次に、以上のように構成されたケーブル定着具１によって吊りケーブル５を定着桁３に定着する動作を説明する。一端側が主塔に定着された吊りケーブル５の他端側を定着桁３に定着するためには、吊りケーブル５の他端のケーブルソケット１１を定着パイプ７の近傍まで引き寄せる必要がある。ケーブルソケット１１を定着パイプ７の近くまで引き寄せる装置がケーブル押込み装置２７である。図４は、このようなケーブル押込み装置２７の平面図である。なお、ケーブル押込み装置２７はケーブル導入装置に相当するものである。
以下においては、まずケーブル押込み装置２７の概要を説明する。
【００２９】
ケーブル押込み装置２７は、定着桁３の上に設置された支持台（図示なし）上に設置されている。
ケーブル押込み装置２７は、吊りケーブル５を係脱可能にチャックする固定チャック２９と、一端側が定着桁３に固定され他端側が固定チャック２９に固定された２本の反力ロッド３１と、固定チャック２９に固定された２個のジャッキ３３と、ジャッキ３３の伸縮ロッドに取り付けられて反力ロッド３１に沿って移動すると共に吊りケーブル５を係脱可能にチャックする移動チャック３５と、を備えている。
図４に示す状態は、吊りケーブル５をケーブル押込み装置２７にセットした状態を示しており、ケーブルソケット１１を移動チャック３５の前方に配置して移動チャック３５で吊りケーブル５をチャックした状態である。
吊りケーブル５は、前端に円筒状のケーブルソケット１１を有し、ケーブルソケット１１の後方側一定の範囲に亘って吊りケーブル５と一体化するように固定された段付の係合手段３７とを有している。
【００３０】
以上のように構成されたケーブル押込み装置２７においては、移動チャック３５によって吊りケーブル５と一体化された係合手段３７をチャックした状態でジャッキ３３の伸縮ロッドを延出させて移動チャック３５を前方に押し出す。移動チャック３５を押し出すことによって、移動チャック３５にチャックされた吊りケーブル５が定着桁３側に押し出される。ジャッキ３３の１ストローク分の押し出しが完了すると、固定チャック２９によって係合手段３７をチャックし、移動チャック３５と係合手段３７のチャックを解除する。そして、ジャッキ３３の伸縮ロッドを縮退させ、最も縮退させた状態で、再び係合手段３７を移動チャック３５でチャックし、固定チャック２９のチャックを解除して伸縮ロッドを延出させる。このような動作を繰り返すことによって、ジャッキ３３のストローク分づつ吊りケーブル５を定着桁３側に押し込んでゆく。
【００３１】
次に、上記のようなケーブル定着装置によって吊りケーブル５を押し込んで定着桁に定着する定着方法を説明する。
定着パイプ７の先端に筒状部材１３を設置しておく。この状態で、上記のようにケーブル定着装置を稼動して、吊りケーブル５を定着桁側に押し込んでゆく。そして、ケーブルソケット１１が筒状部材１３の内部に挿入され、その後端部が、図３に示すように、筒状部材１３の軸方向中央部に位置するまで、押し込む。
【００３２】
ケーブルソケット１１の後端部が筒状部材１３の軸方向中央になると、押し込み動作を中止する。そして、分割リング１５でケーブルソケット１１を包み込むようにして分割リング１５を一体化し、その状態で筒状部材１３にねじ込み、分割リング１５の前端をケーブルソケット１１の後端に当接させる。
この状態で、ケーブル押込み装置２７による固定チャック２９と吊りケーブル５との係合を解除すると、吊りケーブル５は引き戻されようとするが、ケーブルソケット１１の後端部が分割リング１５の前端に当接して保持される。
【００３３】
以上のように、本実施の形態によれば、吊りケーブル５と定着桁３との定着を桁上で簡単に行うことができる。
しかも、ケーブルソケット１１など吊りケーブル５側の部材については特別な加工が不要であることから、市販の吊りケーブルを使用でき、コストを低減できる。
【００３４】
[実施の形態２]
図５〜図８は本発明の実施の形態２の説明図であり、図５は分解斜視図、図６はケーブル定着状態の図、図７は図６の軸方向断面図、図８は図７における破線の丸で囲んだ部分の拡大図である。図５〜図８において、実施の形態１を示した図１〜図３と同一部分には同一の符号を付してある。
【００３５】
本実施の形態に係るケーブル定着具４１は、定着体の上方に突出して設けられて、ケーブルソケット１１が挿入可能でかつ内面にネジ部を有する筒状部材と、筒状部材よりも小径でかつ径方向に分割された第１分割リング４３と、第１分割リング４３の後端部に球面接触すると共に筒状部材のネジ部に螺合する外ネジを有する径方向に分割された第２分割リング４５と、を備え、ケーブルソケット１１を筒状部材に挿入後に第１分割リング４３をケーブルソケット１１の後端側に配置し、第２分割リング４５を筒状部材１３にネジ込んで第１分割リング４３の後方に設置するように構成されている。
【００３６】
本実施の形態２が実施の形態１と異なる点は、第２分割リング４５（実施の形態１の分割リングに相当する）の前端側に第２分割リング４５と球面接触する第１分割リング４３を設けたことである。
第１分割リング４３は、図５、図８に示すように、前端側が平面で後端側が前端側に凹んだ凹状球面部４７を有している。この球面部が、第２分割リング４５の前端側に形成された凸状の凸状球面部４９と球面接触するように構成されている。
【００３７】
上記のように構成された本実施の形態の作用を説明する。ケーブル定着状態においては、図８に示すように、ケーブルソケット１１の後端側に第１分割リング４３の前端面が当接し、第１分割リング４３の後端面に第２分割リング４５の前端面が当接する。ケーブルソケット１１の外周面と定着パイプ７との間には一定の隙間が形成されている。また、第１分割リング４３と筒状部材１３との間にも一定の隙間が形成されている。
【００３８】
上述した図８に示す状態において、吊りケーブル５の揺れ等によって吊りケーブル５と定着パイプ７の中心がずれた場合には、ケーブルソケット１１から第１分割リング４３に偏荷重が作用し、それによって第１分割リング４３と第２分割リング４５との球面接触部に滑りが発生し、上記の中心のずれをキャンセルする。このような作用により、偏荷重が緩和され、偏荷重が作用することによる障害、例えば定着パイプ７の曲がりなどを防止できる。
また、第１分割リング４３と第２分割リング４５とが球面接触しているので、吊りケーブル５が揺れた場合でも、両者が常時、面接触を維持でき、安定した定着状態を保持できる。
【００３９】
[実施の形態３]
図９〜図１１は本発明の実施の形態３の説明図であり、図９は分解斜視図、図１０はケーブル定着状態の図、図１１は図１０の軸方向断面図である。図９〜図１１において、実施の形態１を示した図１〜図３と同一部分には同一の符号を付してある。
【００４０】
本実施の形態３におけるケーブル定着具は、定着桁３の上方に突出する定着パイプ７と、該定着パイプ７の上端部にネジ固定された座金受け部材５３と、定着パイプ７の側面に設けられた開口部５５から挿入されて、定着パイプ７に挿通されたケーブルソケット１１の後端部と座金受け部材５３との間に介装される分割座金５７と、を備えてなるものである。
以下、各構成を説明する。
【００４１】
（１）定着パイプ
定着パイプ７は、実施の形態１のものと同様に、定着桁３の上フランジのフランジ面上に上端部を突出させ、本体部は定着桁３の内部において定着桁３のウェブに接合されて、定着桁３と一体化されている。定着パイプ７の側面の対向する２箇所に分割座金５７を設置する際に分割座金５７を挿入するための開口部５５が設けられている。
【００４２】
（２）座金受け部材
座金受け部材５３は、定着パイプ７の上端部にネジ固定されている。座金受け部材５３は、リング状に形成されており、リングの内径はケーブルソケット１１の外径よりも大きく設定されている。
なお、座金受け部材５３を定着パイプ７の上端部へ固定する方法は、上述のネジ固定の他、溶接接合によって固定してもよい。また、定着パイプ７と別体の部材を固定するのではなく、定着パイプ７そのものの上端部を縮径する加工をして縮径部を形成してもよい。
【００４３】
（３）分割座金
分割座金５７は、定着パイプ７の側面に設けられた開口部５５から挿入されて定着パイプ７に挿通されたケーブルソケット１１の後端部と座金受け部材５３との間に介装される。分割座金５７は、３分割または４分割されており、組み合わせた状態では、図８に示すように、リング状になる。
分割座金５７は、リング状に一体化した状態で、外径がケーブルソケット１１の外径よりも大きく、座金受け部材５３の内径よりも小さくなるように設定されている。また、分割座金５７をリング状に一体化した状態での内径は、ケーブルソケット１１の後部のケーブル部分より若干大きく設定されている。
なお、ケーブルソケット１１の後端部と分割座金５７との間には、隙間調整のためにシム５９が挟み込まれる（図９、図１１参照）
【００４４】
また、本実施の形態３においては、上記の主要部品の他に、吊りケーブル定着後に座金受け材の上面開口を塞ぐための平板状の分割蓋６１、定着パイプ７の開口部５５を塞ぐための筒状の筒状蓋６３が使用される。分割蓋６１は、円形の平板を半割りにしたものである。また、筒状蓋６３は、定着パイプ７に挿入して固定できる筒状体からなる。
【００４５】
次に、本実施の形態のケーブル定着具５１によって吊りケーブル５を定着する方法について説明する。
定着パイプ７に筒状の筒状蓋６３を、開口部５５を露出状態にして挿入すると共に、定着パイプ７の先端に座金受け部材５３を設置する。この状態で、実施の形態１で説明したようにケーブル定着装置を稼動して、吊りケーブル５を定着桁３側に押し込んでゆく。そして、ケーブルソケット１１が定着パイプ７の内部に挿入され、図１１に示すように、ケーブルソケット１１後端部と座金受け部材５３の前端部との間に分割座金５７を設置するのに十分な隙間ができるまで押し込む。
【００４６】
定着パイプ７の開口部５５から分割座金５７を挿入して、ケーブルソケット１１の後端部と座金受け部材５３との隙間に設置する。分割座金５７とケーブルソケット１１との間の隙間にはシム５９を設置する。
この状態で、ケーブル押込み装置２７による固定チャック２９と吊りケーブル５との係合を解除すると、吊りケーブル５は引き戻されようとするが、ケーブルソケット１１の後端部がシム５９を介して分割座金５７に保持される。
その後、筒状蓋６３によって定着パイプ７の開口部５５を塞ぎ、また、座金受け部材５３の上面に蓋を設定して座金受け材の上面開口を塞ぐ。
【００４７】
本実施の形態３においては、実施の形態１と同様の効果の他に、実施の形態１で使用した分割リングに代えて分割座金５７を使用しているので、分割リングのようにリング周面にネジ加工が不要である点で加工が容易であるという効果が得られる。
【００４８】
なお、上記の実施の形態では、斜張橋の吊りケーブル５を定着桁３に定着する場合について説明したが、本発明の対象としているケーブルの定着はこの場合にかぎられるものではなく、ケーブルの端部を種々の構造物に定着する場合に適用できる。例えば、斜張橋において耐震構造として用いられる弾性拘束ケーブルの定着や、橋梁の主桁応力度を改善するための外ケーブルを用いたプレストレス工法における主桁側面に配置される外ケーブルの定着などに用いられる。さらには、いわゆるドームなどの大空間構造物に用いるケーブルの定着にも用いることができる。
【図面の簡単な説明】
【００４９】
【図１】本発明の実施の形態１に係るケーブル定着具を分解した状態を示す斜視図である。
【図２】図１に示したケーブル定着具１で吊りケーブル５を定着している状態を示す図である。
【図３】図２の軸方向の断面図である。
【図４】ケーブル押込み装置の説明図である。
【図５】本発明の実施の形態２に係るケーブル定着具を分解した状態を示す斜視図である。
【図６】図５に示したケーブル定着具で吊りケーブル５を定着している状態を示す図である。
【図７】図６の軸方向の断面図である。
【図８】図７において破線の丸で囲んだ部分の拡大図である。
【図９】本発明の実施の形態３に係るケーブル定着具５１を分解した状態を示す斜視図である。
【図１０】図９に示したケーブル定着具５１で吊りケーブル５を定着している状態を示す図である。
【図１１】図１０の軸方向の断面図である。
【図１２】従来のケーブル定着構造を示す図である。
【符号の説明】
【００５０】
１  ケーブル定着具
３  定着桁
５  吊りケーブル
７  定着パイプ
９  外ネジ部
１３  筒状部材
１５  分割リング
２７  ケーブル押込み装置
２９  固定チャック
３１  反力ロッド
３３  ジャッキ
３５  移動チャック
３７  係合手段
４１  ケーブル定着装置
４３  第１分割リング
４５  第２分割リング
４７  凹状球面部
４９  凸状球面部
５１  ケーブル定着具
５３  座金受け部材
５５  開口部
５７  分割座金
５９  シム
６１  分割蓋
６３  筒状蓋
【図１】
2008184809.tif 000003
【図２】
2008184809.tif 000004
【図３】
2008184809.tif 000005
【図４】
2008184809.tif 000006
【図５】
2008184809.tif 000007
【図６】
2008184809.tif 000008
【図７】
2008184809.tif 000009
【図８】
2008184809.tif 000010
【図９】
2008184809.tif 000011
【図１０】
2008184809.tif 000012
【図１１】
2008184809.tif 000013
【図１２】
2008184809.tif 000014